(57)【要約】【課題】半導体レーザを高い発光効率で駆動しながら、一定の連続した光量を確保する。【解決手段】複数の半導体レーザ(21ａ〜21ｆ)を有する光源部17と、光源部17の複数の半導体レーザ21ａ〜21ｆそれぞれを、同一周期、同一デューティで、且つ互いに間欠期間を補間して常時同一点灯個数となるように位相を調整してパルス駆動させる投影光処理部36と、画像信号を入力する入力系11，12と、光源部17で発生する光を用い、入力する画像信号に対応した光像を形成して投影する投影系13〜16，18，19とを備える。【選択図】図１
2011075919.tif 000002
【特許請求の範囲】
【請求項１】
複数の半導体レーザを有する光源部と、
上記光源部の複数の半導体レーザを、同一数の該半導体レーザからなる複数のグループに分割し、上記各グループ毎に所定周期且つ所定デューティでパルス駆動させるパルス駆動手段と、
上記パルス駆動手段で上記半導体レーザを各グループ毎にパルス駆動させる際に、上記半導体レーザが常時同一数点灯されるように互いに位相を調整させる光源制御手段と
を具備したことを特徴とする光源装置。
【請求項２】
上記パルス駆動手段は、上記半導体レーザを各グループ毎に同一周期且つ同一デューティでパルス駆動させることを特徴とする請求項１記載の光源装置。
【請求項３】
上記各グループが駆動される駆動電力は、上記周期且つデューティに基づいて設定されることを特徴とする請求項１または２記載の光源装置。
【請求項４】
上記各グループが駆動される駆動電力は、上記各グループの総消費電力値及び輝度値に基づいて設定されることを特徴とする請求項１乃至３いずれか記載の光源装置。
【請求項５】
上記光源制御手段は、上記半導体レーザの最大駆動電流値に基づいて分割するグループの数を設定することを特徴とする請求項１乃至４いずれか記載の投影装置。
【請求項６】
複数の半導体レーザを有する光源部と、
上記光源部の複数の半導体レーザを、同一数の該半導体レーザからなる複数のグループに分割し、上記各グループ毎に所定周期且つ所定デューティでパルス駆動させるパルス駆動手段と、
上記パルス駆動手段で上記半導体レーザを各グループ毎にパルス駆動させる際に、上記半導体レーザが常時同一数点灯されるように互いに位相を調整させる光源制御手段と、
画像信号を入力する入力手段と、
上記光源部で発生する光を用い、上記入力手段で入力する画像信号に対応した光像を形成して投影する投影手段と
を具備したことを特徴とする投影装置。
【請求項７】
上記パルス駆動手段は、上記半導体レーザを各グループ毎に同一周期且つ同一デューティでパルス駆動させることを特徴とする請求項６記載の投影装置。
【請求項８】
上記各グループが駆動される駆動電力は、上記周期且つデューティに基づいて設定されることを特徴とする請求項６または７記載の投影装置。
【請求項９】
上記各グループが駆動される駆動電力は、上記各グループの総消費電力値及び輝度値に基づいて設定されることを特徴とする請求項６乃至８いずれか記載の投影装置。
【請求項１０】
上記光源制御手段は、上記半導体レーザの最大駆動電流値に基づいて分割するグループの数を設定することを特徴とする請求項６乃至９いずれか記載の投影装置。
【請求項１１】
複数の半導体レーザを有する光源部、画像信号を入力する入力部、及び上記光源部で発生する光を用い、上記入力部で入力する画像信号に対応した光像を形成して投影する投影部を備えた投影装置での投影方法であって、
上記光源部の複数の半導体レーザを、同一数の該半導体レーザからなる複数のグループに分割し、上記各グループ毎に所定周期且つ所定デューティでパルス駆動させるパルス駆動工程と、
上記パルス駆動工程で上記半導体レーザを各グループ毎にパルス駆動させる際に、上記半導体レーザが常時同一数点灯されるように互いに位相を調整させる光源制御工程と
を有したことを特徴とする投影方法。
【発明の詳細な説明】
【技術分野】
【０００１】
本発明は、プロジェクタ装置等に好適な光源装置、投影装置及び投影方法に関する。
【背景技術】
【０００２】
従来、スクリーンに投射される連続光のぎらつきの発生を抑えると共に、装置全体の信頼性を向上させるプロジェクタとして、被投射面に向けてレーザ光を射出する光源装置と、該光源装置から射出されたレーザ光を走査する走査手段と、該走査手段により走査されたレーザ光を拡散する光拡散部材と、該光拡散部材から射出されたレーザ光を被投射面に集光する集光手段とを備えたものが考えられている。（特許文献１）
【先行技術文献】
【特許文献】
【０００３】
【特許文献１】特開２００７−０２５４６６号公報
【発明の概要】
【発明が解決しようとする課題】
【０００４】
レーザ光を発する光源として一般に使用される半導体レーザでは、閾値電流と呼ばれる電流に至るまでは発振せず、閾値電流を超えた時点から線形的に発振するため、許容範囲内でより大きな電流値で駆動した方が、発光効率が高くなる。したがって、単位時間当たりで同じ発振出力を得るには、一定の出力で連続して駆動するよりも、２倍の出力でデューティが５０％となるように間欠駆動した方が効率が高い。
【０００５】
一方で半導体レーザをプロジェクタ装置等の光源として用いる場合には、上記特許文献にも記載されているように、光源は一定の出力で継続して点灯することが求められる。そのため、上述したような間欠的な駆動を採用することができず、結果として光源を効率の低い状態で駆動するしかなかった。
【０００６】
本発明は上記のような実情に鑑みてなされたもので、その目的とするところは、半導体レーザを高い発光効率で駆動しながらも、一定の連続した光量を確保することが可能な光源装置、投影装置及び投影方法を提供することにある。
【課題を解決するための手段】
【０００７】
請求項１記載の発明は、複数の半導体レーザを有する光源部と、上記光源部の複数の半導体レーザを、同一数の該半導体レーザからなる複数のグループに分割し、上記各グループ毎に所定周期且つ所定デューティでパルス駆動させるパルス駆動手段と、上記パルス駆動手段で上記半導体レーザを各グループ毎にパルス駆動させる際に、上記半導体レーザが常時同一数点灯されるように互いに位相を調整させる光源制御手段とを具備したことを特徴とする。
【０００８】
請求項２記載の発明は、上記請求項１記載の発明において、上記パルス駆動手段は、上記半導体レーザを各グループ毎に同一周期且つ同一デューティでパルス駆動させることを特徴とする。
【０００９】
請求項３記載の発明は、上記請求項１または２記載の発明において、上記各グループが駆動される駆動電力は、上記周期且つデューティに基づいて設定されることを特徴とする。
【００１０】
請求項４記載の発明は、上記請求項１乃至３いずれか記載の発明において、上記各グループが駆動される駆動電力は、上記各グループの総消費電力値及び輝度値に基づいて設定されることを特徴とする。
【００１１】
請求項５記載の発明は、上記請求項１乃至４いずれか記載の発明において、上記光源制御手段は、上記半導体レーザの最大駆動電流値に基づいて分割するグループの数を設定することを特徴とする。
【００１２】
請求項６記載の発明は、複数の半導体レーザを有する光源部と、上記光源部の複数の半導体レーザを、同一数の該半導体レーザからなる複数のグループに分割し、上記各グループ毎に所定周期且つ所定デューティでパルス駆動させるパルス駆動手段と、上記パルス駆動手段で上記半導体レーザを各グループ毎にパルス駆動させる際に、上記半導体レーザが常時同一数点灯されるように互いに位相を調整させる光源制御手段と、画像信号を入力する入力手段と、上記光源部で発生する光を用い、上記入力手段で入力する画像信号に対応した光像を形成して投影する投影手段とを具備したことを特徴とする。
【００１３】
請求項７記載の発明は、上記請求項６記載の発明において、上記パルス駆動手段は、上記半導体レーザを各グループ毎に同一周期且つ同一デューティでパルス駆動させることを特徴とする。
【００１４】
請求項８記載の発明は、上記請求項６または７記載の発明において、上記各グループが駆動される駆動電力は、上記周期且つデューティに基づいて設定されることを特徴とする。
【００１５】
請求項９記載の発明は、上記請求項６乃至８いずれか記載の発明において、上記各グループが駆動される駆動電力は、上記各グループの総消費電力値及び輝度値に基づいて設定されることを特徴とする。
【００１６】
請求項１０記載の発明は、上記請求項６乃至９いずれか記載の発明において、上記光源制御手段は、上記半導体レーザの最大駆動電流値に基づいて分割するグループの数を設定することを特徴とする。
【００１７】
請求項１１記載の発明は、複数の半導体レーザを有する光源部、画像信号を入力する入力部、及び上記光源部で発生する光を用い、上記入力部で入力する画像信号に対応した光像を形成して投影する投影部を備えた投影装置での投影方法であって、上記光源部の複数の半導体レーザを、同一数の該半導体レーザからなる複数のグループに分割し、上記各グループ毎に所定周期且つ所定デューティでパルス駆動させるパルス駆動工程と、上記パルス駆動工程で上記半導体レーザを各グループ毎にパルス駆動させる際に、上記半導体レーザが常時同一数点灯されるように互いに位相を調整させる光源制御工程とを有したことを特徴とする。
【発明の効果】
【００１８】
本発明によれば、半導体レーザを高い発光効率で駆動しながらも、一定の連続した光量を確保することが可能となる。
【図面の簡単な説明】
【００１９】
【図１】本発明の一実施形態に係るデータプロジェクタ装置全体の機能構成を示すブロック図。
【図２】同実施形態に係る半導体レーザ部の外観構成を示す斜視図。
【図３】同実施形態に係るカラーホイール及びモータの外観構成を示す斜視図。
【図４】同実施形態に係る半導体レーザ部の第１の駆動例を示すタイミングチャート。
【図５】同実施形態に係る半導体レーザ部の第２の駆動例を示すタイミングチャート。
【図６】同実施形態に係る半導体レーザ部の第３の駆動例を示すタイミングチャート。
【発明を実施するための形態】
【００２０】
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。
【００２１】
図１は、本実施形態に係るデータプロジェクタ装置１０の概略機能構成を示すブロック図である。  
１１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００２２】
入出力コネクタ部１１より入力される各種規格の画像信号は、入出力インタフェース（Ｉ／Ｆ）１２、システムバスＳＢを介し、一般にスケーラとも称される画像変換部１３に入力される。
【００２３】
画像変換部１３は、入力された画像信号を投影に適した所定のフォーマットの画像信号に統一し、表示用のバッファメモリであるビデオＲＡＭ１４に適宜書込んだ後に、書込んだ画像信号を読出して投影画像処理部１５へ送る。
【００２４】
この際、ＯＳＤ（Ｏｎ  Ｓｃｒｅｅｎ  Ｄｉｓｐｌａｙ）用の各種動作状態を示すシンボル等のデータも必要に応じてビデオＲＡＭ１４で画像信号に重畳加工され、加工後の画像信号が読出されて投影画像処理部１５へ送られる。
【００２５】
投影画像処理部１５は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子（ＳＬＭ）であるマイクロミラー素子１６を表示駆動する。
【００２６】
このマイクロミラー素子１６は、アレイ状に配列された複数、例えばＸＧＡ（横１０２４画素×縦７６８画素）分の微小ミラーの各傾斜角度を個々に高速でオン／オフ動作することでその反射光により光像を形成する。
【００２７】
一方で、光源部１７から時分割でＲ，Ｇ，Ｂの原色光が循環的に出射される。この光源部１７からの原色光が、ミラー１８で全反射して上記マイクロミラー素子１６に照射される。
【００２８】
そして、マイクロミラー素子１６での反射光で光像が形成され、形成された光像が投影レンズユニット１９を介して、投影対象となる図示しないスクリーンに投影表示される。
【００２９】
上記光源部１７は、それぞれ同一波長の青色のレーザ光を発する一群のレーザダイオードからなる半導体レーザ部（ＬＤＵ）２１を有する。
【００３０】
図２は、この半導体レーザ部２１の外観構成を示す斜視図である。同図に示す如く半導体レーザ部２１は、複数、例えば６個のレーザダイオード２１ａ〜２１ｆを有する。２×３の計６個のレーザダイオード２１ａ〜２１ｆは、同一の発光特性、同一の発光方向を有する単色のレーザ光源として用いるもので、本実施形態では上述した如く青色のレーザ光を発する。
【００３１】
半導体レーザ部２１の発する青色のレーザ光は、ダイクロイックミラー２２を透過し、レンズ２３を介してカラーホイール２４の周上の１点に照射される。
【００３２】
このカラーホイール２４は、モータ（Ｍ）２５により回転される。レーザ光が照射されるカラーホイール２４の周上には、赤色蛍光反射板２４Ｒ、緑色蛍光反射板２４Ｇ、及び青色用拡散板２４Ｂが合わせてリング状となるように形成されている。
【００３３】
図３は、カラーホイール２４及びモータ２５の外観構成を示す斜視図である。同図に示す如く、赤色蛍光反射板２４Ｒは、レーザ光が照射されるのとは反対側の図示しない面側がミラー構造となり、青色のレーザ光の照射により塗布されている蛍光体が赤色光を励起し、励起した赤色光を、レーザ光が照射されてきた方向に反射するように出射する。
【００３４】
同様に緑色蛍光反射板２４Ｇは、レーザ光が照射されるのとは反対側の図示しない面側がミラー光像となり、青色のレーザ光の照射により塗布されている蛍光体が緑光を励起し、励起した緑色光を、レーザ光が照射されてきた方向に反射するように出射する。
【００３５】
また、残る青色用拡散板２４Ｂは、磨り硝子状の透過部材で構成され、照射された青色のレーザ光は散乱しながら透過する。
【００３６】
カラーホイール２４の赤色蛍光反射板２４Ｒまたは緑色蛍光反射板２４Ｇがレーザ光の照射位置にある場合、レーザ光の照射により赤色光または緑色光が励起される。この励起された赤色光または緑色光は、カラーホイール２４で反射された後、上記レンズ２３を介して上記ダイクロイックミラー２２でも反射される。
【００３７】
その後、この赤色光または緑色光は、レンズ２６を介してミラー２７で反射され、レンズ２８を介してダイクロイックミラー２９で反射された後、レンズ３０を介してインテグレータ３１で輝度分布が略均一な光束とされた後にミラー３２で全反射されて、上記ミラー１８へ送られる。
【００３８】
また、カラーホイール２４の青色用拡散板２４Ｂがレーザ光の照射位置にある場合、レーザ光は該拡散板２４Ｂで拡散されながらカラーホイール２４を透過した後、レンズ３３を介してミラー３４で全反射される。その後、この青色光は、レンズ３５を介して上記ダイクロイックミラー２９を透過し、レンズ３０を介して上記インテグレータ２９で輝度分布が略均一な光束とされた後にミラー３２で全反射されて、上記ミラー１８へ送られる。
【００３９】
以上の如く、ダイクロイックミラー２２，２９は共に、青色光を透過する一方で、緑色光及び赤色光を反射する。
【００４０】
光源部１７の半導体レーザ部２１の発光タイミング、及びモータ２５によるカラーホイール２４の回転を投影光処理部３６が統括して制御する。投影光処理部３６は、投影画像処理部１５から与えられる画像データのタイミングに応じて半導体レーザ部２１の発光タイミングとカラーホイール２４の回転を制御する。
【００４１】
上記各回路の動作すべてをＣＰＵ３７が制御する。このＣＰＵ３７は、メインメモリ３８及びプログラムメモリ３９と直接接続される。メインメモリ３８は、ＤＲＡＭで構成され、ＣＰＵ３７のワークメモリとして機能する。プログラムメモリ３９は、電気的書換可能な不揮発性メモリで構成され、ＣＰＵ３７が実行する動作プログラムや各種定型データ等を記憶する。ＣＰＵ３７は、上記メインメモリ３８及びプログラムメモリ３９を用いて、このデータプロジェクタ装置１０内の制御動作を実行する。
【００４２】
上記ＣＰＵ３７は、操作部４０からのキー操作信号に応じて各種投影動作を実行する。  
この操作部４０は、データプロジェクタ装置１０の本体に設けられるキー操作部と、このデータプロジェクタ装置１０専用の図示しないリモートコントローラの間で赤外光を受光するレーザ受光部とを含み、ユーザが本体のキー操作部またはリモートコントローラで操作したキーに基づくキー操作信号をＣＰＵ３７へ直接出力する。
【００４３】
上記ＣＰＵ３７はさらに、上記システムバスＳＢを介して音声処理部４１とも接続される。音声処理部４１は、ＰＣＭ音源等の音源回路を備え、投影動作時に与えられる音声データをアナログ化し、スピーカ部４２を駆動して拡声放音させ、あるいは必要によりビープ音等を発生させる。
【００４４】
次に上記実施形態の動作について説明する。  
図４は、半導体レーザ部２１の第１の駆動例を示す。ここでは、レーザダイオード２１ａ〜２１ｆを構成する６個のレーザダイオード２１ａ〜２１ｆを、２つのグループに分割した場合の各駆動電力波形を示す。同図では、横軸が時間ｔ、縦軸が駆動電力Ｉ・Ｖを示す。これらの駆動は、投影光処理部３６の制御により実現され、各レーザダイオード２１ａ〜２１ｆは発振時に閾値電流より充分に大きな電流値で駆動されるものとする。
【００４５】
図４（Ａ）は、レーザダイオード２１ａ，２１ｄ，２１ｅからなるグループ１の駆動電力の波形を示す。図４（Ｂ）は、残るレーザダイオード２１ｂ，２１ｃ，２１ｆからなるグループ２の駆動電力の波形を示す。
【００４６】
上記図４（Ａ），図４（Ｂ）に示すように２つのグループ１，２は、同一の周期Ｔ１、同一のデューティ５０％で、位相を１８０°（＝Ｔ１／２）だけずらして発振するように設定される。
【００４７】
図４（Ｃ）は、半導体レーザ部２１全体、すなわち２つのグループ１，２を合わせた全レーザダイオード２１ａ〜２１ｆの駆動電力の波形を示すものである。このように、２つのグループ１，２間で互いに間欠期間を補間することで、半導体レーザ部２１全体としては常時３個のレーザダイオードから連続してレーザ光が発振されることとなる。
【００４８】
このような構成としたことにより、仮に各グループにおける駆動電力Ｉ・Ｖを、レーザダイオード２１ａ〜２１ｆの６個を同時点灯する場合の駆動電力に比べて２倍の電力としたとすると、総駆動電力はレーザダイオード２１ａ〜２１ｆの６個を同時点灯した場合と同じであるにも関らず、各レーザダイオードの発光を高効率で駆動できることからより高い輝度を得ることができる。
【００４９】
あるいは、レーザダイオード２１ａ〜２１ｆの６個を同時点灯した場合と同じ輝度を得ようとする場合は、各グループにおける駆動電力Ｉ・Ｖをレーザダイオード２１ａ〜２１ｆの６個を同時点灯する場合の駆動電力の２倍よりも小さい電力とすることができ、同じ輝度が得られるにも関らず、総駆動電力を低減することができる。
【００５０】
したがって、光像を形成するマイクロミラー素子１６には、カラーホイール２４を介して波長帯域が制限された、連続して安定した光量の光源光が供給されることとなる。
【００５１】
次に、図５により半導体レーザ部２１の第２の駆動例を示す。ここでは、レーザダイオード２１ａ〜２１ｆを構成する６個のレーザダイオード２１ａ〜２１ｆを、３つのグループに分割した場合の各駆動電力波形を示す。同図では、横軸が時間ｔ、縦軸が駆動電力Ｉ・Ｖを示す。これらの駆動は、投影光処理部３６の制御により実現され、各レーザダイオード２１ａ〜２１ｆは発振時に閾値電流より充分に大きな電流値で駆動されるものとする。
【００５２】
図５（Ａ）は、レーザダイオード２１ａ，２１ｄからなるグループ１の駆動電力の波形を示す。図５（Ｂ）は、レーザダイオード２１ｂ，２１ｅからなるグループ２の駆動電力の波形を示す。図５（Ｃ）は、レーザダイオード２１ｃ，２１ｆからなるグループ３の駆動電力の波形を示す。
【００５３】
上記図５（Ａ）〜図５（Ｃ）に示すように３つのグループ１〜３は、同一の周期Ｔ２、同一のデューティ３３．３％で、位相を１２０°（＝Ｔ２／３）だけずらして発振するように設定される。
【００５４】
半導体レーザ部２１全体、すなわち３つのグループ１〜３を合わせると、互いに間欠期間を補間することで、半導体レーザ部２１全体としては常時２個のレーザダイオードから連続してレーザ光が発振されることとなる。
【００５５】
このような構成としたことにより、仮に各グループにおける駆動電力Ｉ・Ｖを、レーザダイオード２１ａ〜２１ｆの６個を同時点灯する場合の駆動電力に比べて３倍の電力としたとすると、総駆動電力はレーザダイオード２１ａ〜２１ｆの６個を同時点灯した場合と同じであるにも関らず、各レーザダイオードの発光を高効率で駆動できることからより高い輝度を得ることができる。
【００５６】
あるいは、レーザダイオード２１ａ〜２１ｆの６個を同時点灯した場合と同じ輝度を得ようとする場合は、各グループにおける駆動電力Ｉ・Ｖをレーザダイオード２１ａ〜２１ｆの６個を同時点灯する場合の駆動電力の３倍よりも小さい電力とすることができ、同じ輝度が得られるにも関らず、総駆動電力を低減することができる。
【００５７】
次いで図６により半導体レーザ部２１の第３の駆動例を示す。ここでは、レーザダイオード２１ａ〜２１ｆを構成する６個のレーザダイオード２１ａ〜２１ｆを、３つのグループに分割した場合の各駆動電力波形を示す。同図では、横軸が時間ｔ、縦軸が駆動電力Ｉ・Ｖを示す。これらの駆動は、投影光処理部３６の制御により実現され、各レーザダイオード２１ａ〜２１ｆは発振時に閾値電流より充分に大きな電流値で駆動されるものとする。
【００５８】
図６（Ａ）は、レーザダイオード２１ａ，２１ｄからなるグループ１の駆動電力の波形を示す。図６（Ｂ）は、レーザダイオード２１ｂ，２１ｅからなるグループ２の駆動電力の波形を示す。図６（Ｃ）は、レーザダイオード２１ｃ，２１ｆからなるグループ３の駆動電力の波形を示す。
【００５９】
上記図６（Ａ）〜図６（Ｃ）に示すように３つのグループ１〜３は、同一の周期Ｔ３、同一のデューティ６６．７％で、位相を１２０°（＝Ｔ３／３）だけずらして発振するように設定される。
【００６０】
半導体レーザ部２１全体、すなわち３つのグループ１〜３を合わせると、互いに間欠期間を補間することで、半導体レーザ部２１全体としては、２つのグループ分の常時４個のレーザダイオードから連続してレーザ光が発振されることとなる。
【００６１】
このような構成としたことにより、仮に各グループにおける駆動電力Ｉ・Ｖを、レーザダイオード２１ａ〜２１ｆの６個を同時点灯する場合の駆動電力に比べて１．５倍の電力としたとすると、総駆動電力はレーザダイオード２１ａ〜２１ｆの６個を同時点灯した場合と同じであるにも関らず、各レーザダイオードの発光を高効率で駆動できることから、より高い輝度を得ることができる。
【００６２】
あるいは、レーザダイオード２１ａ〜２１ｆの６個を同時点灯した場合と同じ輝度を得ようとする場合は、各グループにおける駆動電力Ｉ・Ｖをレーザダイオード２１ａ〜２１ｆの６個を同時点灯する場合の駆動電力の１．５倍よりも小さい電力とすることができ、同じ輝度が得られるにも関らず、総駆動電力を低減することができる。
【００６３】
以上のように、この図６における駆動例は、半導体レーザ２１を図４、図５に開示したよりもより多くのグループにわけることを想定した場合に、半導体レーザ２１の一つ一つの発光素子の駆動電力は大きくなっていき、発光素子の最大駆動電流値を超えてしまう事態を避けるために有効な駆動例である。
【００６４】
つまり、上述の第１及び第２駆動例から分かるように、半導体レーザ２１をより多くのグループに分割して同時点灯個数を少なくしたほうが、１つのグループの駆動時における駆動電力は大きくすることができる。そのため、より高効率で半導体レーザ２１を駆動することができる。しかし、半導体レーザ２１の駆動電力の最大値を超えてしまうと駆動効率は急激に低下してしまう。第３駆動例では、各グループの駆動デューティを増加して同時点灯個数を増加させることによって、上述の事態を避けることができる。
【００６５】
上記第１乃至第３の駆動例のいずれにおいても、半導体レーザ部２１を構成するレーザダイオード２１ａ〜２１ｆを間欠的に駆動することで、発熱により素子の温度が上昇する前に一旦駆動が停止する、という動作を繰返すため、熱的に非常に有利となり、データプロジェクタ装置１０で光源部の冷却に要する負担を軽減し、また装置の小型化にも寄与できる。
【００６６】
加えて、フォトダイオードは発振期間と素子の温度によって寿命が定まるため、上述した間欠駆動を行なうことにより、半導体レーザ部２１を構成する各レーザダイオード２１ａ〜２１ｆの長寿命化を図ることも可能となる。
【００６７】
以上詳述した如く本実施形態によれば、光源のレーザダイオード２１ａ〜２１ｆを高い発光効率で駆動しながらも、一定の連続した光量を確保することが可能となる。
【００６８】
また、上記実施形態では、半導体レーザ部２１を構成するレーザダイオード２１ａ〜２１ｆを、それぞれが複数のレーザダイオードからなる複数のグループに分割し、該複数のグループ単位で位相を調整するものとした。
【００６９】
これにより、個体によって発振出力の差が大きいレーザダイオードに対し、複数を纏めて取扱うことで該個体差を吸収して平均化させ、より安定した光量を確保することができるとともに、半導体レーザ部２１を駆動する投影光処理部３６での制御を簡易化できる。
【００７０】
なお、上記実施形態では半導体レーザ部２１が６個のレーザダイオード２１ａ〜２１ｆにより構成されるものとして説明したが、本発明はこれに限らず、複数のレーザダイオードから構成するものであれば良い。
【００７１】
また、上記実施形態は単板式のＤＬＰ（登録商標）方式のデータプロジェクタ装置１０に適用した場合について説明したが、本発明はデータプロジェクタ装置の投影方式を限定するものではなく、例えば透過型のモノクロ液晶パネルを用いて光像を形成する液晶プロジェクタ装置にも同様に適用可能であり、またデータプロジェクタ装置のみならず、例えばリアプロジェクション方式のテレビ受像機等にも同様に適用し得る。
【００７２】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００７３】
１０…データプロジェクタ装置、１１…入出力コネクタ部、１２…入出力インタフェース（Ｉ／Ｆ）、１３…画像変換部（スケーラ）、１４…ビデオＲＡＭ、１５…投影画像処理部、１６…マイクロミラー素子（ＳＬＭ）、１７…光源部、１８…ミラー、１９…投影レンズユニット、２１…半導体レーザ部（ＬＤＵ）、２１ａ〜２１ｆ…レーザダイオード、２２…ダイクロイックミラー、２３…レンズ、２４…カラーホイール、２４Ｂ…青色用拡散板、２４Ｇ…緑色蛍光体反射板、２５…モータ（Ｍ）、２６…レンズ、２７…ミラー、２８…レンズ、２９…ダイクロイックミラー、３０…レンズ、３１…インテグレータ、３２…ミラー、３３…レンズ、３４…ミラー、３５…レンズ、３６…投影光処理部、３７…ＣＰＵ、３８…メインメモリ、３９…プログラムメモリ、４０…操作部、４１…音声処理部、４２…スピーカ部、ＳＢ…システムバス。
【図１】
2011075919.tif 000003
【図２】
2011075919.tif 000004
【図３】
2011075919.tif 000005
【図４】
2011075919.tif 000006
【図５】
2011075919.tif 000007
【図６】
2011075919.tif 000008